(57)【要約】【課題】接着剤の付きがよいエクステンション用まつげを提供する。【解決手段】まつげ５０の長さを延長するエクステンション用まつげ１００であって、人工まつげ本体部１０を備え、人工まつげ本体部１０は、まつげ５０に接触される根本部１５と、根本部１５とは反対側に位置する先端部１１とを有し、根本部１５は、ザラザラした表面部３０を有している、エクステンション用まつげ１００である。【選択図】図１
2014169524.tif 000002
【特許請求の範囲】
【請求項１】
まつげの長さを延長するエクステンション用まつげであって、
人工まつげ本体部を備え、
前記人工まつげ本体部は、前記まつげに接触される根本部と、前記根本部とは反対側に位置する先端部とを有し、
前記根本部は、ザラザラした表面部を有していることを特徴とする、エクステンション用まつげ。
【請求項２】
前記ザラザラした表面部は、前記根本部の全周にわたって形成されている、請求項１に記載のエクステンション用まつげ。
【請求項３】
前記ザラザラした表面部は、前記人工まつげ本体部の全体にわたって形成されている、請求項１または２に記載のエクステンション用まつげ。
【請求項４】
前記ザラザラした表面部は、複数の粒状の凹凸を含んでいる、請求項１から３の何れか一つに記載のエクステンション用まつげ。
【請求項５】
前記ザラザラした表面部は、フロスト加工を施すことによって生じた凹凸を含んでいる、請求項４に記載のエクステンション用まつげ。
【請求項６】
前記ザラザラした表面部は、複数のスクラッチ状の溝からなる凹凸を含んでいる、請求項１から３の何れか一つに記載のエクステンション用まつげ。
【請求項７】
前記ザラザラした表面部は、ヤスリを擦りつけることによって生じた凹凸を含んでいる、請求項１から６の何れか一つに記載のエクステンション用まつげ。
【請求項８】
エクステンション用まつげの製造方法であって、
同じ長さを有する複数の人工まつげ本体部を用意する工程と、
前記複数の人工まつげ本体部のそれぞれにフロスト加工を施すことによって、前記人工まつげ本体部における少なくとも根本部にザラザラした表面部を形成する工程と
を含む、エクステンション用まつげの製造方法。
【請求項９】
さらに、前記人工まつげ本体部の先端部を細くする工程を含み、
前記人工まつげ本体部の先端部をマスクした状態で前記フロスト加工を施すことにより、前記人工まつげ本体部の根本部に前記ザラザラした表面部を形成することを特徴とする、請求項８に記載のエクステンション用まつげの製造方法。
【請求項１０】
エクステンション用まつげの製造方法であって、
人工まつげ本体部を用意する工程と、
前記人工まつげ本体部の少なくとも根本部に、複数のスクラッチ状の溝からなる凹凸を形成する工程と
を含む、エクステンション用まつげの製造方法。
【請求項１１】
前記複数のスクラッチ状の溝からなる凹凸を形成する工程は、前記人工まつげ本体部に紙ヤスリを擦りつけることによって実行される、請求項１０に記載のエクステンション用まつげの製造方法。
【請求項１２】
エクステンション用まつげの取付け方法であって、
少なくとも根本部にザラザラした表面部が形成された人工まつげ本体部を用意する工程と、
前記人工まつげ本体部の前記根本部に接着剤を塗布する工程と、
前記人工まつげ本体部の前記根本部に前記接着剤が塗布された状態で、前記接着剤をまつげに付ける工程と
を含む、エクステンション用まつげの取付け方法。
【請求項１３】
前記ザラザラした表面部は、前記根本部の全周にわたって形成されている、請求項１２に記載の取付け方法。
【請求項１４】
前記接着剤をまつげに付ける工程の前に、
前記接着剤以外の液体を前記根本部に付けて、前記人工まつげ本体部を前記まつげに仮止めする工程を実行する、請求項１２または１３に記載の取付け方法。
【発明の詳細な説明】
【技術分野】
【０００１】
本発明は、エクステンション用まつげに関し、特に、表面がザラザラしているエクステンション用まつげに関する。
【背景技術】
【０００２】
まつげに長さやボリュームを与え、より大きく、美しく、魅力的な目元を演出するためのアイテムの一つとして、つけまつげがある。つけまつげは、複数本の人工まつげを一纏めにして、その末端に接着部を設け、その接着部を使用者のまぶたに付けることによって、使用者のまつげに長さやボリュームを与えることができる（例えば、特許文献１、２など）。つけまつげは、使用者の皮膚に接着するため、装着感が悪く、場合によっては皮膚がかぶれるおそれがある。
【０００３】
これに対して、近年では、一本のまつげとほぼ同等の形状で長さや太さにボリュームを持たせた所謂エクステンションと呼ばれる人工まつげが提案されている（例えば、特許文献３など）。このエクステンション（人工まつげ）は、まぶたには接着せずに、接着剤を用いてまつげに直接接着するため、装着感が良く、皮膚がかぶれるおそれが少ない。また、エクステンションは、まつげ一本に対して一本ずつ接着するので、つけまつげに比べて自然な感じでまつげに長さやボリュームを与えることができる。
【先行技術文献】
【特許文献】
【０００４】
【特許文献１】特開２００８−２３１６３２号公報
【特許文献２】特開２００５−１４６５００号公報
【特許文献３】特開２０１０−２４５７９号公報
【発明の概要】
【発明が解決しようとする課題】
【０００５】
特許文献３に開示されたエクステンションには、使用者のまつげの１／４以上を覆うくぼみ部分が形成されている。このくぼみ部分を有するエクステンションに接着剤を塗布し、エクステンションのくぼみ部分に使用者のまつげを密着させながら、エクステンションをまつげに接着することができる。当該くぼみ部分にまつげを密着させることにより、エクステンションとまつげとの接着面積を大きくすることができ、その結果、エクステンションの剥がれやズレを防止することが容易となる。
【０００６】
しかしながら、まつげの一本一本に対して、エクステンションのくぼみ部分を下から正確に嵌め込むのは大変な作業である。すなわち、くぼみ部分のないエクステンション（通常のエクステンション）をまつげに接着する場合には、そのエクステンションとまつげとを接着剤を介して互いに接着させればよいが、特許文献３に開示されたエクステンションの場合、エクステンションのくぼみ部分の内面にまつげ一本一本を合わせる必要がある。くぼみ部分を有するエクステンションは、ピンセットでつまんで操作されるので、くぼみ部分が毎回上向きになるようにするには手間が生じる。
【０００７】
一方で、くぼみ部分のないエクステンションの場合、エクステンションの表面は、平滑に形成されているので、接着剤の付きが必ずしも良いとはいえない。すなわち、エクステンションは、断面が円形の開口部を有する金型から樹脂を押し出すことによって作製されるので、作製されるエクステンションの表面は平滑になりやすく、それゆえに、接着剤の付きを良好なものにし難い。しかしながら、この表面が平滑なエクステンションが標準的なものであるので、エクステンションの接着剤の付きが悪いということは、この業界ではまだ問題視されていない。
【０００８】
本発明はかかる点に鑑みてなされたものであり、その主な目的は、接着剤の付きがよいエクステンション用まつげを提供することにある。
【課題を解決するための手段】
【０００９】
本発明に係るエクステンション用まつげは、まつげの長さを延長するエクステンション用まつげであり、人工まつげ本体部を備え、前記人工まつげ本体部は、前記まつげに接触される根本部と、前記根本部とは反対側に位置する先端部とを有し、前記根本部は、ザラザラした表面部を有している。
【００１０】
ある好適な実施形態において、前記ザラザラした表面部は、前記根本部の全周にわたって形成されている。
【００１１】
ある好適な実施形態において、前記ザラザラした表面部は、前記人工まつげ本体部の全体にわたって形成されている。
【００１２】
ある好適な実施形態において、前記ザラザラした表面部は、複数の粒状の凹凸を含んでいる。
【００１３】
ある好適な実施形態において、前記ザラザラした表面部は、フロスト加工を施すことによって生じた凹凸を含んでいる。
【００１４】
前記ザラザラした表面部は、複数のスクラッチ状の溝からなる凹凸を含んでいる。
【００１５】
ある好適な実施形態において、前記ザラザラした表面部は、ヤスリを擦りつけることによって生じた凹凸を含んでいる。
【００１６】
本発明に係るエクステンション用まつげの製造方法は、同じ長さを有する複数の人工まつげ本体部を用意する工程と、前記複数の人工まつげ本体部のそれぞれにフロスト加工を施すことによって、前記人工まつげ本体部における少なくとも根本部にザラザラした表面部を形成する工程とを含む。
【００１７】
ある好適な実施形態では、さらに、前記人工まつげ本体部の先端部を細くする工程を含み、前記人工まつげ本体部の先端部をマスクした状態で前記フロスト加工を施すことにより、前記人工まつげ本体部の根本部に前記ザラザラした表面部を形成する。
【００１８】
本発明に係る他のエクステンション用まつげの製造方法は、人工まつげ本体部を用意する工程と、前記人工まつげ本体部の少なくとも根本部に、複数のスクラッチ状の溝からなる凹凸を形成する工程とを含む。
【００１９】
ある好適な実施形態において、前記複数のスクラッチ状の溝からなる凹凸を形成する工程は、前記人工まつげ本体部に紙ヤスリを擦りつけることによって実行される。
【００２０】
本発明に係るエクステンション用まつげの取付け方法は、少なくとも根本部にザラザラした表面部が形成された人工まつげ本体部を用意する工程と、前記人工まつげ本体部の前記根本部に接着剤を塗布する工程と、前記人工まつげ本体部の前記根本部に前記接着剤が塗布された状態で、前記接着剤をまつげに付ける工程とを含む。
【００２１】
ある好適な実施形態において、前記ザラザラした表面部は、前記根本部の全周にわたって形成されている。
【００２２】
ある好適な実施形態では、前記接着剤をまつげに付ける工程の前に、前記接着剤以外の液体を前記根本部に付けて、前記人工まつげ本体部を前記まつげに仮止めする工程を実行する。
【発明の効果】
【００２３】
本発明のエクステンション用まつげによれば、人工まつげ本体部の根本部はザラザラした表面部を有しているので、当該ザラザラした表面部によって、接着剤を保持することが容易となり、使用者のまつげと人工まつげ本体部との接着性を良好にすることができる。また、人工まつげ本体部の全周にわたってザラザラした表面部が形成されている場合、１つの方向だけでなく他の方向からでも、ザラザラした表面部の上に接着剤を塗布して、人工まつげ本体部をまつげに接着させることができる。
【図面の簡単な説明】
【００２４】
【図１】本発明の実施形態に係るエクステンション１００を取り付けた様子を示す図である。
【図２】本発明の実施形態に係るエクステンション１００の構成を示す斜視図である。
【図３】図２中のＡ−Ａ線に沿ったエクステンション１００の断面図である。
【図４】図２中のＢ部分におけるエクステンション１００の拡大図である。
【図５】（ａ）から（ｃ）は、エクステンション１００をまつげ５０に取り付ける方法を説明する図である。
【図６】エクステンション１００の改変例を示す断面図である。
【図７】エクステンション１００の改変例を示す断面図である。
【図８】エクステンション１００の改変例を示す断面図である。
【図９】エクステンション１００を上まつげ５０に取り付けた状態を示す図である。
【発明を実施するための形態】
【００２５】
以下、図面を参照しながら、本発明の実施の形態を説明する。以下の図面においては、説明の簡潔化のため、実質的に同一の機能を有する構成要素を同一の参照符号で示す。なお、本発明は以下の実施形態に限定されない。
【００２６】
図１を参照しながら、本発明の実施形態に係るエクステンション用まつげ１００について説明する。図１は、本実施形態のエクステンション用まつげ１００を、使用者（装着者）のまつげ５０に取り付けた様子を示す図である。
【００２７】
本実施形態のエクステンション用まつげ１００は、使用者５５のまつげ５０の長さを延長する人工まつげである。なお、本実施形態では、エクステンション用まつげを「エクステンション」と称する。
【００２８】
本実施形態のエクステンション１００は、人工まつげ本体部１０から構成されている。本実施形態の人工まつげ本体部１０は、まつげ５０に接触される根本部１５と、根本部１５とは反対側に位置する先端部１１とを有している。そして、本実施形態の構成では、根本部１５は、ザラザラした表面部３０を有している。
【００２９】
本実施形態のエクステンション１００では、根本部１５に接着剤（グルー）２０が付けられる。そして、エクステンション１００は、接着剤２０によってまつげ５０に接着されて固定される。具体的には、根本部１５におけるザラザラした表面部３０に接着剤２０が付けられ、エクステンション１００（または、人工まつげ本体部１０）は接着剤２０を介してまつげ５０に取り付けられる。
【００３０】
図２は、本実施形態のエクステンション１００の構成を示す斜視図である。図３は、図２中のＡ−Ａ線に沿った断面図を示している。図４は、図２中のＢ部分における拡大側面図を示している。
【００３１】
本実施形態のエクステンション１００では、ザラザラした表面部３０は、人工まつげ本体部１０の長手方向における中間点よりも、根本部１５の端面１５ａ側に形成されている。特に、ザラザラした表面部３０は、まつげ５０と接する領域に形成されていればよく、接着剤２０が付与される箇所だけに選択的に形成することも可能である。
【００３２】
本実施形態のザラザラした表面部３０は、複数の粒状の凹凸３１を含んでいる。この粒状の凹凸３１からなるザラザラした表面部３０は、根本部１５の全周にわたって形成されている。したがって、根本部１５の表面の全方位において、ザラザラした表面部３０が形成されており、接着剤２０を何れの方向から根本部１５に付与しても、ザラザラした表面部３０の上に塗布することができる。
【００３３】
本実施形態の人工まつげ本体部１０は、根本部１５が太くて先端部１１が細くなった形状を有している。また、本実施形態の人工まつげ本体部１０は、例えば、樹脂（典型的には、ポリブチレンテレフタレート、ポリエステル、アクリル、塩化ビニール、ナイロン）から構成されており、人工まつげ本体部１０の長さは、例えば５ｍｍ〜２０ｍｍであり、直径φ（または厚さ）は例えば０．０７ｍｍ〜０．３ｍｍである。
【００３４】
人工まつげ本体部１０は、黒色の他、着色された材料から構成されていてもよい。人工まつげ本体部１０は、例えば、ダークブラウン、パープル、ブルー、ピンク、シルバー、グリーン、ライトオレンジ、ライトゴールド、レッド、ワインレッド、ホワイト、イエローなどの色にすることができ、それによって、カラーエクステンションを実現することが可能である。また、人工まつげ本体部１０と称しているが、人工的にまつげの長さを延長するという意味であるので、構成材料は人工材料（樹脂など）に限らず、天然素材の材料（例えば、動物由来の材料（典型的には、人毛、獣毛（ミンクなどの毛）、または、シルク）、植物由来の材料（典型的には綿））を使用することも可能である。
【００３５】
本実施形態の構成において、人工まつげ本体部１０におけるザラザラした表面部３０は、フロスト加工を施すことによって形成されている。言い換えると、人工まつげ本体部１０には、フロスト加工によって生じた凹凸３１が形成されている。フロスト加工とは、表面を霜のようにザラザラさせる加工（または、磨りガラスのようにザラザラさせる加工）のことをいい、本実施形態では、サンドブラストによって人工まつげ本体部１０に凹凸３１を形成する。サンドブラストは、表面に砂などの研磨材を吹き付ける加工方法のことである。例えば、人工まつげ本体部１０の根本部１５に、コンプレッサによる圧縮空気に研磨剤を混ぜて吹き付けることにより、当該根本部１５にザラザラした表面部３０を形成することができる。サンドブラストに使用するサンド（研磨材）は、いわゆる砂に限らず、人工まつげ本体部１０に凹凸３１を形成するのに適した研磨剤を使用することができる。
【００３６】
本実施形態の凹凸３１の深さ（凸部から凹部までの高さの差）は、例えば、０．０１ｍｍ〜０．１ｍｍ程度であるが、それに限定されるものではない。具体的には、ザラザラした表面部３０を形成するために使用したフロスト加工（例えば、サンドブラスト）の条件によって決定されるとともに、使用するフロスト加工にあわせて適宜好適な凹凸３１を形成することが可能である。
【００３７】
本実施形態のザラザラした表面部３０は、ヤスリ（具体的には、紙ヤスリ）を擦りつけることによって形成することができる。紙ヤスリは、研磨加工に用いる紙状のシートに研磨材を塗布した工具である。紙ヤスリによって、ザラザラした表面部３０を形成する場合、使用する紙ヤスリの粗さ（番手）によって、ザラザラした表面部３０の凹凸３１の形状・深さなどを調整することができる。
【００３８】
人工まつげ本体部１０の根本部１５にザラザラした表面部３０を形成する場合、多数の人工まつげ本体部１０を揃えて、次いで、サンドブラストを根本部１５に施すことにより、一度の処理で、ザラザラした表面部３０を有する人工まつげ本体部１０を多数形成することができる。また、多数の人工まつげ本体部１０を揃えた状態で、根本部１５に紙ヤスリを施すことにより、一度の処理で、ザラザラした表面部３０を有する人工まつげ本体部１０を多数形成することも可能である。もちろん、一本の人工まつげ本体部１０に紙ヤスリを施して、ザラザラした表面部３０を形成しても構わない。
【００３９】
なお、人工まつげ本体部１０に貫通孔を形成して、その貫通孔によって、ザラザラした表面部３０を形成することも可能である。その場合には、凹凸３１を構成する貫通孔の長さは、人工まつげ本体部１０の直径φに相当するものになる。貫通孔を形成する場合にはそれを形成するための適切な工具などを使用すればよい。また、貫通孔を形成した場合には、エクステンション１００の重さ（質量）を軽くすることができるという利点も得られる。エクステンション１００の一本一本の重さは軽くても、それらは使用者のまつげに取り付けられるものであるから、エクステンションの重さを軽くできることは、使用者（装着者）の装着感に影響を与えることができ、その結果、つけ心地の感じのよいエクステンションを実現することができる。
【００４０】
次に、図５（ａ）から（ｃ）を参照しながら、本実施形態のエクステンション１００をまつげ５０に取り付ける方法を説明する。
【００４１】
まず、図５（ａ）に示すように、本実施形態のエクステンション１００の一部をピンセット７０で掴み、そして根本部１５に接着剤２０を塗布した状態で、エクステンション１００をまつげ５０の近くに持っていく。
【００４２】
次に、図５（ｂ）に示すように、エクステンション１００の接着剤２０をまつげ５０に付けて、エクステンション１００をまつげ５０に密着させる。そして、接着剤２０が硬化して、エクステンション１００がまつげ５０に固定されたならば、図５（ｃ）に示すように、ピンセット７０を外して、エクステンション１００の取り付けが完了する。この作業を各まつげ５０について行う。
【００４３】
本実施形態のエクステンション１００では、人工まつげ本体部１０の根本部１５はザラザラした表面部３０を有しているので、当該ザラザラした表面部３０によって、接着剤２０を保持することが容易となり、使用者のまつげ５０と人工まつげ本体部１０との接着性を良好にすることができる。すなわち、従来のエクステンションの表面は平滑に形成されているので、接着剤の付きが必ずしも良いとはいえないが、本実施形態のエクステンション１００の場合、ザラザラした表面部３０により、平滑の場合の表面と比較して表面積が増えたことによって（あるいは、凹凸３１によって）接着剤２０の保持がよく、それゆえに、接着剤２０の付きがよい。
【００４４】
また、ザラザラした表面部３０における増大した表面積によって、接着剤２０の保持力が向上している。したがって、ザラザラした表面部３０が形成される領域は、接着剤２０が塗布されるエリアよりも広い方が好ましいが、接着剤２０が塗布されるエリアよりも狭くても当該表面部３０にて接着剤２０の保持を良好に行うことができるので構わない。
【００４５】
近年、使用者の皮膚のかぶれ又はアレルギー、その他の有機溶媒の影響などを考慮して、強力な接着剤を使用することができずに、比較的接着力の弱い接着剤を使用しなければならないケースも生じている。このような場合において、従来のエクステンションでは、接着剤の付きの悪さがより顕著になり、エクステンションの取り付け作業に支障がでる可能性がある。一方、本実施形態のエクステンション１００では、接着剤２０の付きが良好であるので、比較的接着力の弱い接着剤を使用する場合でもそのような問題を抑制することができる。
【００４６】
また、本実施形態のエクステンション１００では、人工まつげ本体部１０の全周にわたってザラザラした表面部３０が形成されているので、１つの方向だけでなく他の方向からでも、ザラザラした表面部３０の上に接着剤２０を塗布して、人工まつげ本体部１０をまつげ５０に接着させることができる。したがって、１つの方向にＣ字型のくぼみが形成されたエクステンションと比較すると、エクステンション１００をまつげ５０に取り付けるのが容易になる。
【００４７】
また、本実施形態のエクステンション１００は、次のように改変することが可能である。図６に示したエクステンション１００では、人工まつげ本体部１０の根本部１５だけでなく、人工まつげ本体部１０の全体にザラザラした表面部３０が形成されている。図６に示すように、人工まつげ本体部１０の全体にザラザラした表面部３０を形成した場合でも、もちろん、人工まつげ本体部１０の根本部１５に接着剤２０を塗布し、人工まつげ本体部１０をまつげ５０に付けることができる。
【００４８】
図１及び図２に示したような本実施形態のエクステンション１００は、例えば、次のようにして製造することができる。まず、断面が円形の開口部を有する金型から樹脂を押し出し、同一直径φを有する繊維状の材料を作製する。次に、その繊維状の材料を、人工まつげ本体部１０と同じ長さに切断する。その後、その切断で得られた人工まつげ本体部１０の一部を薬品に浸して、人工まつげ本体部１０の先端部１１を細くする。ここで、先に、フロスト加工などによって、人工まつげ本体部１０の全体にザラザラした表面部３０を形成した場合、人工まつげ本体部１０の一部（先端部）を薬品に浸した際に、その部分におけるザラザラした表面部３０は消えてしまうことがある。その場合には、人工まつげ本体部１０の根本部１５（またはその周辺）にザラザラした表面部３０が形成される。
【００４９】
一方、人工まつげ本体部１０の先端部１１を細くした後に、フロスト加工などによって、人工まつげ本体部１０の全体にザラザラした表面部３０を形成した場合、図６に示したようなエクステンション１００を得ることができる。また、人工まつげ本体部１０の先端部１１を細くした後であっても、人工まつげ本体部１０の先端部１１（または、根本部１５を除く部分）をマスクした状態で、フロスト加工などを施すことにより、人工まつげ本体部１０の根本部１５にザラザラした表面部３０を形成することができる。
【００５０】
なお、根本部１５の端面１５ａにザラザラした表面部３０を形成してもよいし、形成しなくても構わない。また、本実施形態の構成では、図３に示すように、根本部１５の全周にわたって、ザラザラした表面部３０（凹凸３１）を形成したが、一部、ザラザラした表面部３０（凹凸３１）が形成されていない部分を設けても構わない。例えば、根本部１５の全周ではなく、４方向（９０°ずつ）、８方向（４５°ずつ）にザラザラした表面部３０（凹凸３１）を形成した構成にしても構わない。４方向（９０°ずつ）、８方向（４５°ずつ）にザラザラした表面部３０（凹凸３１）を形成した構成であっても、一方向ではなく、多方向から接着剤２０を根本部１５に塗布することができ、接着剤２０の付きを良くすることができる。
【００５１】
さらに、本実施形態のエクステンション１００は、次のように改変することが可能である。図７に示したエクステンション１００では、人工まつげ本体部１０の根本部１５に、複数のスクラッチ状の溝からなる凹凸３３が形成されている。言い換えると、人工まつげ本体部１０の根本部１５に、スクラッチ状の溝からなる凹凸３３を含むザラザラした表面部３２が形成されている。
【００５２】
複数のスクラッチ状の溝からなる凹凸３３は、例えば、微細な刃物が配列された器具を用いて、人工まつげ本体部１０の表面を傷つけることによって形成することができる。また、紙ヤスリの摩擦の方法を工夫することによって、複数のスクラッチ状の溝からなる凹凸３３を形成することができる。具体的には、微細の溝（短い線状の溝）が互いに連結しないように、紙ヤスリを人工まつげ本体部１０で摩擦することにより、複数のスクラッチ状の溝からなる凹凸３３を形成することができる。
【００５３】
なお、図７に示したエクステンション１００では、根本部１５（またはその周囲）にスクラッチ状の溝（または傷）の凹凸３３を形成したが、図８に示すように、人工まつげ本体部１０の全体に凹凸３３を形成することも可能である。
【００５４】
図７および図８に示したエクステンション１００においても、ザラザラした表面部３２によって、接着剤２０を保持することが容易となり、使用者のまつげ５０と人工まつげ本体部１０との接着性を良好にすることができる。加えて、図示した例では、人工まつげ本体部１０の全周にわたってザラザラした表面部３２が形成されているので、１つの方向だけでなく他の方向からでも、ザラザラした表面部３０の上に接着剤２０を塗布して、人工まつげ本体部１０をまつげ５０に接着させることができる。したがって、１つの方向にＣ字型のくぼみが形成されたエクステンションと比較すると、エクステンション１００をまつげ５０に取り付けるのが容易になる。
【００５５】
図８は、上まつげ５０のそれぞれにエクステンション１００を取り付けた様子を示している。図８に示すように、数多くのまつげ５０にエクステンション１００が取り付けられる。本実施形態のエクステンション１００では、人工まつげ本体部１０に形成されたザラザラした表面部３０（又は３２）を利用することによって、人工まつげ本体部１０をまつげ５０に取り付けることが簡単となるので、数多くのエクステンション１００の取り付け作業を、従来の平滑な表面のエクステンションと比較して楽に行うことができる。
【００５６】
以上、本発明を好適な実施形態により説明してきたが、こうした記述は限定事項ではなく、勿論、種々の改変が可能である。例えば、図８に示した構成において、下まつげにエクステンション１００を取り付けても構わない。さらには、図５（ａ）から（ｃ）に示した状態において、接着剤２０ではなくて、液体（例えば、水、又は、水よりも粘度が大きい液体（典型的には、液状の化粧品））を用いて、人工まつげ本体部１０をまつげ５０に仮止めすることも可能である。この仮止めによって、使用者（装着者）５５が、本実施形態のエクステンション１００のデザインや付け心地などを確認することができる。そして、本実施形態のエクステンション１００の場合、当該液体（水や、液状の化粧品）は、その表面張力によって、人工まつげ本体部１０のザラザラした表面部３０（３２）で保持されるので、仮止め作業も行い易いという利点もある。
【００５７】
また、図５（ａ）から（ｃ）に示した例では、使用者（装着者）５５のまつげ５０に、本実施形態のエクステンション１００を取り付ける例を示したが、まつげ５０は、つけまつげのまつげ部分であってもよい。すなわち、人間のまつげでなく、つけまつげのまつげ部分５０に、本実施形態のエクステンション１００を取り付けることによって、使用者の好みに応じた独自のつけまつげを作製することができる。また、エクステンションの取り付けの練習として、つけまつげのまつげ部分５０にエクステンション１００を取り付ける場合もあり得る。つけまつげのまつげ部分５０にエクステンション１００を付ける場合でも、本実施形態におけるザラザラした表面部３０（３２）を利用することにより、エクステンション１００の取り付けを容易に行うことができる。
【産業上の利用可能性】
【００５８】
本発明によれば、接着剤の付きがよいエクステンション用まつげ（エクステンション）を提供することができる。
【符号の説明】
【００５９】
１０  人工まつげ本体部
１１  先端部
１５  根本部
１５ａ  根本部の端面
２０  接着剤（グルー）
３０  表面部
３１  凹凸
３２  表面部
３３  凹凸
５０  まつげ
５５  使用者
７０  ピンセット
１００  エクステンション
【図１】
2014169524.tif 000003
【図２】
2014169524.tif 000004
【図３】
2014169524.tif 000005
【図４】
2014169524.tif 000006
【図５】
2014169524.tif 000007
【図６】
2014169524.tif 000008
【図７】
2014169524.tif 000009
【図８】
2014169524.tif 000010
【図９】
2014169524.tif 000011